(57)【要約】【課題】コントラストの向上化を図るとともに黒の階調表示性能を向上させることにより、高品位の映像を得ることのできる投射型液晶表示装置を提供すること。【解決手段】本発明の投射型液晶表示装置１は、ランプユニット２と、Ｂ，Ｇ，Ｒ用ＬＣＤ１３，１７，２０と、これらＬＣＤにランプユニット２からの光を三原色分光して前記ＬＣＤに入射する入射系光学手段３〜１１ｃ，１６，１８，１９と、ＬＣＤに透過した光をスクリーンに向けて投射する出射系光学手段１１ｂ，１４，１５と、ランプユニット２からの光が第１の偏光ビームスプリッタ２１を通過し、この通過した光が第２の偏光ビームスプリッタに入射するように配され、前記第１の偏光ビームスプリッタ２１が回転可能に設けられた少なくとも２つの第１、第２の偏光ビームスプリッタ２１，２２と、を有し、制御部３２は駆動部３４を制御して前記第１の偏光ビームスプリッタ２１の回転角度を調整する。  【選択図】図１
2005195691.tif 000002
【特許請求の範囲】
【請求項１】
光源であるランプユニットと、
液晶パネルと、
前記液晶パネルに前記ランプユニットからの光を三原色分光して前記液晶パネルに入射する入射系光学手段と、
前記液晶パネルに透過した光をスクリーンに向けて投射する出射系光学手段と、
前記ランプユニットからの光が一枚目の偏光ビームスプリッタを通過し、この通過した光が他の偏光ビームスプリッタに入射するように配され、前記一枚目の偏光ビームスプリッタが回転可能に設けられた少なくとも２つの偏光ビームスプリッタと、
前記一枚目の偏光ビームスプリッタを回転駆動させるための回転駆動手段と、
前記回転駆動手段を制御する制御手段と、
を具備したことを特徴とする投射型液晶表示装置。
【請求項２】
前記制御手段は、入力映像信号の輝度成分のレベルに基づき前記回転駆動手段を制御して前記一枚目の偏光ビームスプリッタの回転角度を調整することを特徴とする請求項１に記載の投射型液晶表示装置。
【請求項３】
前記制御手段は、ユーザの所望する明るさに予め設定された複数のモードの内、選択されたモードに基づき前記回転駆動手段を制御して前記一枚目の偏光ビームスプリッタの回転角度を調整することを特徴とする請求項１に記載の投射型液晶表示装置。
【発明の詳細な説明】
【技術分野】
【０００１】
本発明は、投射映像のコントラスト感を向上させる機能を有する投射型液晶表示装置に関する。
【背景技術】
【０００２】
近年、映像光を投射してカラー映像表示を行う液晶プロジェクタ等の投射型液晶表示装置が普及している。投射型液晶表示装置は、映像光を投射してカラー映像表示を行うので、表示映像の大画面化が可能である。このような利点を有する液晶プロジェクタの一例が図７に示されている。
【０００３】
図７は従来の液晶プロジェクタの光学系の概略構成を示す構成図である。  
図７に示すように、従来の液晶プロジェクタ５０は、赤（Ｒ）、緑（Ｇ）、青（Ｂ）の３原色に応じて液晶パネルを３枚用いる３板式のものであり、ランプユニット５１、凹レンズ５２、マルチレンズ５３，５４、マルチＰＢＳ（Polarizing Beam Splitter ）ユニット５５、コンデンサレンズ５６、Ｂ用ダイクロイックミラ５７、ＵＶ・Ｂダイクロイックフィルタ５８、ミラ５９ａ，５９ｂ，５９ｃ、入射側偏光板６０ａ、出射側偏光板６０ｂ、フィールドレンズ６１、Ｂ用液晶パネル（以下、Ｂ用ＬＣＤと称す）６２、ダイクロイックプリズム６３、プロジェクションレンズ（投射レンズ）６４、Ｇ用ダイクロイックミラ６５、Ｇ用液晶パネル（以下、Ｇ用ＬＣＤと称す）６６、リレーレンズ６７，６８，６０、Ｒ用液晶パネル（以下、Ｒ用ＬＣＤと称す）７０を有している。
【０００４】
ランプユニット５１は、光を発する光源５１ａと、この光源５１ａの発した光を反射して照射するリフレクタ５１ｂとを有しており、前記凹レンズ５２を組み合わせることにより、リフレクタ５１ｂからの照射光を平方光にして出射する。  
マルチレンズ５３，５４は、ＬＣＤ６２，６６，７０の各液晶面に対して均一な光を照射する役割があり、ランプユニット５１及び凹レンズ５２から出射された平方光を取り込み、各液晶面に対し均一な光に変換してマルチＰＢＳユニット５５に照射する。
【０００５】
マルチＰＢＳユニット５５は、偏光ビームスプリッタ５５ａとこの偏光ビームスプリッタ５５ａの出射側に複数配設された位相差板５５ｂとを有し、マルチレンズ５３，５４から入射された光の内、例えばＳ偏光を反射しＰ偏光を透過させる。
【０００６】
マルチＰＢＳユニット５５からの光は、コンデンサレンズ５６を介してＢ用ダイクロイックミラ５７に照射され、このＢ用ダイクロイックミラ５７でＢ光のみ反射し、Ｇ光、Ｒ光については透過する。
【０００７】
Ｂ光は、ＵＶ・Ｂダイクロイックフィルタ５８にて赤外光、紫外光が除去され、可視光成分となる。そして、このＢ光の可視光は、ミラ５９ａで反射した後、コンデンサレンズ６１、入射側偏光板６０ａを透過し、Ｂ用ＬＣＤ６２に入射する。  
また、入射側偏光板６０ａは、光の成分の内、液晶パネルの配光方向（ラビング方向ともいう）と同じ位相の偏光波のみ透過し、９０度位相の異なる偏光波については吸収する。なお、図中に示す他の色のＧ光，Ｒ光に対応して設けられた入射側偏光板６０ａ、６０ａについても、同様の光学特性を有している。
【０００８】
一方、Ｇ光，Ｒ光については、Ｇ用ダイクロイックミラ６５によってＧ光のみが反射し、反射したＧ光はコンデンサレンズ６１、入射側偏光板６０ａを透過し、Ｇ用ＬＣＤ６６に入射する。Ｇ用ダイクロイックミラ６５を透過したＲ光は、リレーレンズ６７を透過後、ミラ５５ｂで反射、リレーレンズ６８を透過し、再度ミラ５９ｃで反射した後に、リレーレンズ６９、入射側偏光板６０ａを透過し、Ｒ用ＬＣＤ７０に入射する。
【０００９】
この場合、ランプユニット５１から液晶パネルまでの距離がＲ光の経路のみが他の色より長くなるため、リレーレンズ６７，６８，６９及びミラ５５ｂ，５９ｃによって、Ｇ，Ｂの経路より長く成った分を補正するようになっている。
【００１０】
各色のＬＣＤ６２，６６，７０の出射面には、出射側偏光板６０ｂ，６０ｂ，６０ｂがそれぞれ配設されており、これらの出射側偏光板６０ｂ，６０ｂ，６０ｂは、前記入射側偏光板６０ａ，６０ａ，６０ａと９０度位相の異なる偏光波を透過するようになっている。つまり、前記入射側偏光板６０ａは、ＬＣＤに入射する偏光を揃える役割があり、また、出射側偏光板６０ｂは、ＬＣＤが通過した光束を白表示には透過させ、黒表示には吸収するといった役割がある。
【００１１】
すなわち、液晶パネルの画素に電圧が加わっていない状態では、入射側偏光板を透過した偏光波は、液晶パネルを透過する際、９０度位相が回転するため（Ｓ偏光からＰ偏光に変換するため）、出射側偏光板を透過し、これにより、液晶パネルの画像は白となる。一方、液晶パネルの画素に電圧を加えていくと、液晶パネルの透過光は、位相が回転しなくなるため、すなわち、Ｓ偏光のまま通過してしまうため、次第に出射側偏光板に吸収される成分が多くなり、電圧ＭＡＸでは、液晶パネルの画像は黒となる。
【００１２】
このような光学特性の３枚の各ＬＣＤ６２，６６，７０を透過したそれぞれの光は、合成プリズム６３によって３色合成され、合成光は、投射レンズ６４によってスクリーン、壁等などに拡大投射される。
【００１３】
この種の従来技術としては、例えば特開平１０−１６１１０６号公報に記載されているように、偏光ビームスプリッタにより分離した直線偏光を、反射型液晶パネルの全黒表示時の光学位相差に等しい位相差板を介して反射型液晶パネルに照射させるようにした投写型液晶表示装置がある。
【特許文献１】特開平１０−１６１１０６号公報
【発明の開示】
【発明が解決しようとする課題】
【００１４】
近年、映像電子機器においては、液晶プロジェクタの普及とともにその利点を生かし家庭で大画面を楽しもうという仕様の製品が増えてきている。家庭で楽しむ場合は、オフィスでの用途と異なり映画やテレビジョン放送の映像が主流になり、手元で書き物等をしながら投射映像を見るというよりも、むしろゆったりと映像そのものを楽しむ機会が増えている。このため、このようなユーザの使用形態に伴って、液晶プロジェクタなどの投射型液晶表示装置は、要求される仕様についても明るさよりもむしろコントラストに重きを置く傾向のものが望まれている。  
しかしながら、従来の液晶プロジェクタでは、液晶パネルはその特性上、ＣＲＴやＤＭＤ（ Digital Micromirror Device ）のような高いコントラストを得ることができず、例えば映画やテレビジョン放送番組の暗いシーンにおいて黒の諧調に乏しい映像になってしまう傾向にあるといった不都合があった。  
また、前記従来の特開平１０−１６１１０６号公報に記載の提案では、単に偏光ビームスプリッタを設けると共に、この偏光ビームスプリッタと反射型強誘電性液晶パネルとの間に配された位相差板を回転機構によって回転させて前記位相差板の遅相軸の角度調整を行うことにより、反射型強誘電性液晶パネルの黒表示時の不要光を低減しているが、品位の高い映像を得るためにはさらにコントラストの向上化を図り黒の階調表示性能を向上させる必要があった。
【００１５】
そこで、本発明は上記事情に鑑みてなされたもので、コントラストの向上化を図るとともに黒の階調表示性能を向上させることにより、高品位の映像を得ることのできる投射型液晶表示装置を提供することを目的とする。
【課題を解決するための手段】
【００１６】
上記目的を達成するために請求項１の発明の投射型液晶表示装置は、光源であるランプユニットと、液晶パネルと、前記液晶パネルに前記ランプユニットからの光を三原色分光して前記液晶パネルに入射する入射系光学手段と、前記液晶パネルに透過した光をスクリーンに向けて投射する出射系光学手段と、前記ランプユニットからの光が一枚目の偏光ビームスプリッタを通過し、この通過した光が他の偏光ビームスプリッタに入射するように配され、前記一枚目の偏光ビームスプリッタが回転可能に設けられた少なくとも２つの偏光ビームスプリッタと、前記一枚目の偏光ビームスプリッタを回転駆動させるための回転駆動手段と、前記回転駆動手段を制御する制御手段と、を具備したことを特徴とするものである。
【００１７】
請求項２の発明の投射型液晶表示装置は、請求項１に記載の投射型液晶表示装置において、前記制御手段は、入力映像信号の輝度成分のレベルに基づき前記回転駆動手段を制御して前記一枚目の偏光ビームスプリッタの回転角度を調整することを特徴とするものである。
【００１８】
請求項３の発明の投射型液晶表示装置は、請求項１に記載の投射型液晶表示装置において、前記制御手段は、ユーザの所望する明るさに予め設定された複数のモードの内、選択されたモードに基づき前記回転駆動手段を制御して前記一枚目の偏光ビームスプリッタの回転角度を調整することを特徴とするものである。
【００１９】
請求項１の発明によれば、前記一枚目の偏光ビームスプリッタが回転可能に設けられるとともに、前記制御手段によって前記回転駆動手段を制御することで前記一枚目の偏光ビームスプリッタの回転角度が調整されるため、液晶パネルに入射する光束量を変化させることができ、すなわち、Ｐ偏光又はＳ偏光の光束量を変化させ液晶パネルに対して出力することができる。その結果、コントラスト感を改善し、黒の階調表示性能を向上させることが可能となる。
【００２０】
請求項２の発明によれば、さらに、入力映像信号に応じたコントラストの調整が可能となる。
【００２１】
請求項３の発明によれば、さらに、ユーザの所望する明るさに予め設定された複数のモードの内、選択されたモードに応じたコントラストの調整が可能となる。
【発明の効果】
【００２２】
本発明の投射型液晶表示装置は、コントラストの向上化を図るとともに黒の階調表示性能を向上させることにより、高品位の映像を得ることができるといった利点がある。
【発明を実施するための最良の形態】
【００２３】
以下、図面を参照して本発明の実施例を説明する。
【実施例１】
【００２４】
図１乃至図６は本発明に係る投射型液晶表示装置の一実施例を示し、図１は本実施例の液晶プロジェクタの光学系の概略構成を示す構成図、図２は図１の液晶プロジェクタに設けられた第１、第２の偏光ビームスプリッタの概略構成を示す斜視図、図３は図１の液晶プロジェクタの主要構成部を示すブロック図、図４乃至図６は液晶プロジェクタの作用を説明するためのもので、図４は図３の制御部による制御動作例を示すフローチャート、図５及び図６は第１、第２の偏光ビームスプリッタの特性を示すグラフであり、図５は第１の偏光ビームスプリッタの調整角度に対するＳ偏光の透過率を示し、図６は第１の偏光ビームスプリッタの調整角度に対する相対値（相対コントラスト）をそれぞれ示している。
【００２５】
図１に示すように、本実施例の液晶プロジェクタ１は、赤（Ｒ）、緑（Ｇ）、青（Ｂ）の３原色に応じて液晶パネルを３枚用いる３板式のものであり、ランプユニット２、凹レンズ３、マルチレンズ４，５、マルチＰＢＳ（Polarizing Beam Splitter ）ユニット６、、コンデンサレンズ７、Ｂ用ダイクロイックミラ８、ＵＶ・Ｂダイクロイックフィルタ９、ミラ１０ａ，１０ｂ，１０ｃ、入射側偏光板１１ａ、出射側偏光板１１ｂ、フィールドレンズ１２、Ｂ用ＬＣＤ１３、ダイクロイックプリズム(合成プリズム）１４、プロジェクションレンズ（投射レンズ）１５、Ｇ用ダイクロイックミラ１６、Ｇ用ＬＣＤ１７、リレーレンズ１８，１９、Ｒ用ＬＣＤ２０、第１及び第２の偏光ビームスプリット（ＰＢＳ：Polarizing Beam Splitter ）２１，２２を有している。  
なお、本実施例では、前記凹レンズ３、マルチレンズ４，５、マルチＰＢＳユニット６、コンデンサレンズ７、Ｂ用ダイクロイックミラ８、ＵＶ・Ｂダイクロイックフィルタ９、ミラ１０ａ，１０ｂ，１０ｃ、入射側偏光板１１ａ、フィールドレンズ１２、Ｇ用ダイクロイックミラ１６、リレーレンズ１８，１９や、第１及び第２の偏光ビームスプリット２１，２２が前記入射系光学手段として構成している。また、前記出射側偏光板１１ｂ、ダイクロイックプリズム(合成プリズム）１４及びプロジェクションレンズ（投射レンズ）１５が出射系光学手段として構成している。
【００２６】
ランプユニット２は、従来例と同様に光を発する光源２ａと、この光源２ａの発した光を反射して照射するリフレクタ２ｂとを有しており、前記凹レンズ３を組み合わせることにより、リフレクタ２ｂからの照射光を平方光にして出射する。  
マルチレンズ４，５は、ＬＣＤ１３，１７，２０の各液晶面に対して均一な光を照射する役割があり、ランプユニット２及び凹レンズ３から出射された平方光を取り込み、各液晶面に対し均一な光に変換してマルチＰＢＳユニット６に照射する。
【００２７】
マルチＰＢＳユニット６は、偏光ビームスプリッタ６ａとこの偏光ビームスプリッタ６ａの出射側に複数配設された位相差板６ｂとを有し、マルチレンズ４，５から入射された光の内、例えばＳ偏光を反射しＰ偏光を透過させる。
【００２８】
マルチＰＢＳユニット６からの光は、後述する第１及び第２の偏光ビームスプリッタ２１，２２、コンデンサレンズ５６を介してＢ用ダイクロイックミラ８に照射され、このＢ用ダイクロイックミラ８でＢ光のみ反射し、Ｇ光、Ｒ光については透過する。
【００２９】
Ｂ光は、ＵＶ・Ｂダイクロイックフィルタ９にて赤外光、紫外光が除去され、可視光成分となる。そして、このＢ光の可視光は、ミラ１０ａで反射した後、フィールドレンズ１２、入射側偏光板１１ａを透過し、Ｂ用ＬＣＤ１３に入射する。  
また、入射側偏光板１０ａは、光の成分の内、液晶パネルの配光方向（ラビング方向ともいう）と同じ位相の偏光波のみ透過し、９０度位相の異なる偏光波については吸収する。なお、図中に示す他の色のＧ光，Ｒ光に対応して設けられた入射側偏光板１０ａ、１０ａについても、同様の光学特性を有している。
【００３０】
一方、Ｇ光，Ｒ光については、Ｇ用ダイクロイックミラ１６によってＧ光のみが反射し、反射したＧ光はフィールズレンズ１２、入射側偏光板１１ａを透過し、Ｇ用ＬＣＤ１７に入射する。Ｇ用ダイクロイックミラ１６を透過したＲ光は、リレーレンズ１８を透過後、ミラ１０ｂで反射、リレーレンズ１９を透過し、再度ミラ１０ｃで反射した後に、リレーレンズ１８Ａ、入射側偏光板１０ａを透過し、Ｒ用ＬＣＤ２０に入射する。
【００３１】
この場合、ランプユニット２から液晶パネルまでの距離がＲ光の経路のみが他の色より長くなるため、リレーレンズ１８，１９，１８Ａ及びミラ１０ｂ，１０ｃによって、Ｇ，Ｂの経路より長く成った分を補正するようになっている。
【００３２】
各色のＬＣＤ１３，１７，２０の出射面には、出射側偏光板１１ｂ，１１ｂ，１１ｂがそれぞれ配設されており、これらの出射側偏光板１１ｂ，１１ｂ，１１ｂは、前記入射側偏光板１１ａ，１１ａ，１１ａと９０度位相の異なる偏光波を透過するようになっている。つまり、前記入射側偏光板１１ａは、ＬＣＤに入射する偏光を揃える光学特性があり、また、出射側偏光板１１ｂは、ＬＣＤが通過した光束を白表示には透過させ、黒表示には吸収するといった光学特性がある。
【００３３】
すなわち、液晶パネルの画素に電圧が加わっていない状態では、入射側偏光板を透過した偏光波は、液晶パネルを透過する際、９０度位相が回転するため（Ｓ偏光からＰ偏光に変換するため）、出射側偏光板を透過し、これにより、液晶パネルの画像は白となる。一方、液晶パネルの画素に電圧を加えていくと、液晶パネルの透過光は、位相が回転しなくなるため、すなわち、Ｓ偏光のまま通過してしまうため、次第に出射側偏光板に吸収される成分が多くなり、電圧ＭＡＸでは、液晶パネルの画像は黒となる。
【００３４】
このような光学特性の３枚の各ＬＣＤ１３，１７，２０を透過したそれぞれの光は、合成プリズム１４によって３色合成され、合成光は、投射レンズ１５によってスクリーン、壁等などに拡大投射される。
【００３５】
ところで、本実施例の液晶プロジェクタ１は、コントラスト感を改善するために各ＬＣＤ（液晶パネル）１３，１７，２０に入射する光束量を変化させるようにしている。  
具体的には、図１に示すように、液晶プロジェクタ１は、前記マルチＰＢＳユニット６の出射側に前記第１及び第２の偏光ビームスプリッタ２１，２２を配設している。この場合、第１及び第２の偏光ビームスプリッタ２１，２２は、各々Ｓ偏光を透過させる向きに配置されるようになっている。
【００３６】
第１の偏光ビームスプリッタ２１は、図２に示すように、図示しない回転駆動機構に回転可能に軸止されており、図３に示す駆動部により前記回転駆動機構が駆動されることにより、例えば光軸に対して０°から９０°の間にかけて回転角度調整可能である。つまり、第１の偏光ビームスプリッタ２１は、図２に示す状態０°を基準に９０°まで回転角度を調整可能になっている。一方、第１の偏光ビームスプリッタ２２は、前記第１の偏光ビームスプリッタ２１の照射面と平行に固定されている。
【００３７】
つまり、本実施例では、上記したように２つの第１、第２の偏光ビームスプリッタ２１，２２を前記マルチＰＢＳユニット６とコンデンサレンズ７の間に設けるとともに、前記第２の偏光ビームスプリッタ２２を固定した状態で前記第１の偏光ビームスプリッタ２１を回転させることにより、Ｐ偏光又はＳ偏光の光束量を変化させてコンデンサレンズ７へと照射することが可能である。したがって、前記第１の偏光ビームスプリッタ２１の回転角度制御を、入力映像信号レベル、あるいは予めユーザによって設定された表示モードに基づき制御すれば、入力映像信号レベルに合わせた、またはユーザが所望する明るさの調整を行うことが可能である。
【００３８】
このようにコントラストの調整可能な液晶プロジェクタ主要部の構成例が図３に示されている。図３に示すように、液晶プロジェクタ１は、映像信号が入力される入力端子１ａと、この入力端子１ａを介して供給された映像信号を取り込む入力部３０と、この入力部３０からの映像信号に信号処理を施して輝度信号成分を抽出する輝度成分抽出部３１と、予め設定された輝度信号成分のレベルに応じた前記第１の偏光ビームスプリッタ２１の調整角度データを有するテーブル、あるいは予め表示モード毎に設定された前記第１の偏光ビームスプリッタ２１の調整角度データを有するテーブルを記憶したメモリ３３と、前記輝度成分抽出部３１からの輝度成分抽出結果、または前記メモリ３３に記憶されたテーブルに基づき後述する駆動部３４を制御する制御手段としての制御部３２と、この制御部３２により制御され、前記第１の偏光ビームスプリッタ２１が装着された図示しない回転駆動機構を駆動制御する駆動手段としての駆動部３４とを有している。  
なお、本実施例では、前記第１の偏光ビームスプリット２１の回転角度制御は、前記液晶プロジェクタ１の図示しない操作部により、前記輝度信号成分に基づく制御モードと複数の表示モードのいずれかの表示モードに基づく制御モードとを切り替えて選択し実行するように構成しても良い。また、複数の表示モードのいずれかの表示モードを実行する場合、予め設定された複数の表示モードから所望する表示モードを前記操作部（図示せず）により選択し、この選択した表示モードのテーブルを用いて第１の偏光ビームスプリット２１の回転角度制御を行えば良い。
【００３９】
次に、本実施例の超音波プロジェクタの作用を図２乃至図４を参照しながら説明する。なお、本実施例では、入力される映像信号の輝度レベル（輝度信号成分）に応じて第１の偏光ビームスプリッタ２１を回転角度調整する場合について説明する。
【００４０】
いま、図３に示す液晶プロジェクタ１の電源を投入して起動させたものとする。すると、制御部３２は、図４に示す処理ルーチンを起動し、ステップＳ１の処理にて入力端子１ａを介して供給された映像信号を入力部３０に取り込むように制御する。
【００４１】
そして、制御部３２は、続くステップＳ２の処理にて、前記輝度成分抽出部３１により前記入力部３０を介して取り込んだ映像信号に信号処理を施して輝度信号成分を抽出し、前記メモリ３３に記憶されているテーブルから前記抽出した輝度信号成分に応じた偏光ビームスプリッタ２１の調整角度データを求め、処理をステップＳ４に移行する。
【００４２】
次に、制御部３２は、ステップＳ４の処理では、前記ステップＳ３の処理で求めた調整角度データを指定角度として設定し、前記第１の偏光ビームスプリッタ２１の角度がこの指定角度となるように駆動部３４を制御して図示しない回転駆動機構が駆動することにより、前記第１の偏光ビームスプリッタ２１の角度が前述した指定角度に固定されることになる。
【００４３】
このような制御部３２による第１の偏光ビームスプリッタ２１の回転角調整制御は、一定間隔で実行されるようになっている。  
図５は本実施例の第１、第２の偏光ビームスプリッタ２１，２２の特性が示されており、第１の偏光ビームスプリッタ２１の調整角度に対するＳ偏光の透過率を示すグラフである。なお、横軸は第１の偏光ビームスプリッタ２１の調整角度、縦軸は透過率である。
【００４４】
即ち、本実施例では、図５に示すように、第１の偏光ビームスプリッタ２１の調整角度を大きくすることにより、この第１の偏光ビームスプリッタ２１を透過するＳ偏光の光束量が少なくなる。反面、Ｐ偏光の透過率が高くなるが２枚目の第２の偏光ビームスプリッタ２２によりＰ偏光が遮断されるため、Ｐ偏光はこの第２の偏光ビームスプリッタ２２以降に透過することはない。
【００４５】
この場合、本実施例では、各ＬＣＤ（液晶パネル）１３，１７，２０への入射光としてＳ偏光を使用しており、前記第１の偏光ビームスプリッタ２１の回転角度調整を入力映像信号の輝度信号成分に応じて行わせることにより、明るい映像では従来どおり明るく、暗い映像では各ＬＣＤ１３，１７，２０に入射する光束を絞り、より黒の諧調を際立たせる映像処理が可能となる。即ち、本実施例によれば、図６の第１の偏光ビームスプリッタの調整角度に対する相対値を示すグラフのように、コントラストを改善することが可能となる。
【００４６】
したがって、本実施例によれば、上記の如く、前記マルチＰＢＳユニット６の出射側に前記第１及び第２の偏光ビームスプリッタ２１，２２を配設すると共に、この第１の偏光ビームスプリッタ２１を回転角度調整可能に設け、この第１の偏光ビームスプリッタ２１の回転角度制御を、入力映像信号レベル、あるいは予めユーザによって設定された表示モードに基づき制御することにより、入力映像信号レベルに合わせた、またはユーザが所望する明るさの調整を行うことが可能である・これにより、コントラストの向上化を図るとともに黒の階調表示性能を向上させることにより、高品位の映像を得ることのできる投射型液晶表示装置としての液晶プロジェクタを実現できる。
【００４７】
なお、本発明は、以上述べた実施例のみに限定されるものではなく、発明の要旨を逸脱しない範囲で種々変形実施可能である。
【産業上の利用可能性】
【００４８】
本発明の投射型液晶表示装置は、コントラストの向上化を図るとともに黒の階調表示性能を向上させることにより、高品位の映像を得ることのできるので、映画やテレビジョン放送等のあらゆる映像を大画面にて一般家庭内で視聴するのに有効である。
【図面の簡単な説明】
【００４９】
【図１】本発明に係る投射型液晶表示装置の一実施例を示し、液晶プロジェクタの光学系の概略構成を示す構成図。
【図２】図１の液晶プロジェクタに設けられた第１、第２の偏光ビームスプリッタの概略構成を示す斜視図。
【図３】図１の液晶プロジェクタの主要構成部を示すブロック図。
【図４】液晶プロジェクタの作用を説明するもので、制御部による制御動作例を示すフローチャート。
【図５】第１、第２の偏光ビームスプリッタの特性を示し、第１の偏光ビームスプリッタの調整角度に対するＳ偏光の透過率を示すグラフ。
【図６】第１、第２の偏光ビームスプリッタの特性を示し、第１の偏光ビームスプリッタの調整角度に対する相対値を示すグラフ。
【図７】従来の液晶プロジェクタの光学系の概略構成を示す構成図。
【符号の説明】
【００５０】
１…投射型液晶表示装置（液晶プロジェクタ）、
１ａ…入力端子、
２…ランプユニット、
２ａ…光源、
２ｂ…リフレクタ、
３…凹レンズ、
４、５…マルチレンズ、
６…マルチＰＢＳユニット、
６ａ…偏光ビームスプリッタ、
６ｂ…位相差板、
７…コンデンサレンズ、
８…Ｂ用ダイクロイックミラ、
９…ＵＶ・Ｂダイクロイックフィルタ、
１０ａ、１０ｂ、１０ｃ…ミラ、
１１ａ…入射側偏光板、
１１ｂ…出射側偏光板、
１２…フィールドレンズ、
１３…Ｂ用ＬＣＤ、
１４…合成プリズム、
１５…投射レンズ、
１６…Ｇ用ダイクロイックミラ、
１７…Ｇ用ＬＣＤ、
１８、１８Ａ、１９…リレーレンズ、
２０…Ｒ用ＬＣＤ、
２１…第１の偏光ビームスプリッタ、
２１  偏光ビームスプリット
２２…第２の偏光ビームスプリッタ、
３０…入力部、
３１…輝度成分抽出部、
３２…制御部、
３３…メモリ、
３４…駆動部。  
代理人    弁理士    伊藤  進
【図１】
2005195691.tif 000003
【図２】
2005195691.tif 000004
【図３】
2005195691.tif 000005
【図４】
2005195691.tif 000006
【図５】
2005195691.tif 000007
【図６】
2005195691.tif 000008
【図７】
2005195691.tif 000009